(57)【特許請求の範囲】
【請求項１】
肌当接面側に配置された表面シート、非肌当接面側に配置された裏面シート及び両シート間に配置された吸収体を備えた縦長の吸収性本体を有する吸収性物品であって、
前記吸収性本体の少なくとも排泄部対向部における、前記吸収体の一対の側部は、該側部の間に位置する幅方向中央部よりも圧縮されることにより、一対の高圧縮領域を形成しており、
前記高圧縮領域は、前記吸収体の長手方向前後端部までは形成されておらず、
前記吸収性本体の前記排泄部対向部における両側の前記表面シート側に、該表面シート及び前記吸収体が圧縮されて形成された、該吸収性本体の長手方向に延びる一対の圧搾溝が設けられており、
前記圧搾溝は、少なくとも一部が前記高圧縮領域の一部に存在する、吸収性物品。
【請求項２】
前記吸収性本体の前記排泄部対向部において、前記圧搾溝が、該吸収性本体の幅方向中央部側に向かって凸状に湾曲している、請求項１記載の吸収性物品。
【請求項３】
前記吸収性本体の前記排泄部対向部において、前記圧搾溝が、該吸収性本体の幅方向の外方側に向かって凸状に湾曲している、請求項１記載の吸収性物品。
【請求項４】
前記吸収性本体、該吸収性本体の両側部それぞれから幅方向外方に延出する一対のウイング部、及び該吸収性本体の両側部の肌当接面側をそれぞれ被覆する一対のサイド防漏部を有する請求項１〜３の何れか１項記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
生理用ナプキン等の吸収性物品は、一般的に、肌当接面を形成する表面シート、非肌当接面を形成する裏面シート及び両シート間に介在配置された縦長の吸収体を備えた縦長の吸収性本体を有している。このような吸収性物品においては、着用者の排泄部に吸収性本体の幅方向中央部の肌当接面側を密着させて、排泄された体液を吸収性本体に速やかに吸収すること、及び吸収性本体の側部におけるヨレを防止し、横漏れを防止することが望まれている。
【０００３】
着用者の排泄部に吸収性本体の幅方向中央部の肌当接面側が密着しやすい構成としては、例えば、吸収性本体の幅方向中央部の肌当接面側が隆起しやすい構成（例えば下記特許文献１参照）や、吸収性本体の幅方向中央部の肌当接面側を側部よりも高くした（いわゆる中高構造とした）構成（例えば下記特許文献２，３参照）が挙げられる。
【０００４】
【特許文献１】特開２００４−１５４１５３号公報
【特許文献２】特開２００３−３３３９７号公報
【特許文献３】特開平１０−３２３３６８号公報
【発明の開示】
【発明が解決しようとする課題】
【０００５】
しかし、特許文献１記載の吸収性物品においては、吸収性本体の幅方向中央部と側部との間に圧搾溝を設けることにより、吸収性本体の幅方向中央部を隆起しやすくしているが、吸収体の側部は実質的に圧縮されていない。そのため、吸収性本体の側部の剛性が低く、吸収性本体の側部にヨレが生じやすいため、横漏れが発生しやすい。また、圧搾溝の形状によっては吸収性本体の幅方向中央部が隆起しにくい。
【０００６】
また、特許文献２記載の吸収性物品においては、吸収体の側部に多数のエンボス凹部を離間させて設けることにより、吸収体の幅方向中央部を側部よりも相対的に高くしている。そのため、吸収性本体の側部の剛性が充分ではなく、吸収性本体の側部にヨレが生じやすいため、横漏れが発生しやすい。
特許文献３記載の吸収性物品においては、吸収体の側部は、その長手方向前後端部まで圧縮されており、剛性が高くなっているため、中高構造の幅方向中央部は隆起しにくい。
【０００７】
従って、本発明の目的は、着用者の排泄部に吸収性本体の幅方向中央部の肌当接面側が密着しやすく、排泄された体液を吸収性本体に速やかに吸収できると共に、吸収性本体の側部におけるヨレが生じにくく、横漏れが発生しにくい吸収性物品を提供することにある。
【課題を解決するための手段】
【０００８】
本発明は、肌当接面側に配置された表面シート、非肌当接面側に配置された裏面シート及び両シート間に配置された吸収体を備えた縦長の吸収性物品であって、前記吸収性物品の少なくとも排泄部対向部における、前記吸収体の一対の側部は、該側部の間に位置する幅方向中央部よりも圧縮されることにより、一対の高圧縮領域を形成しており、前記高圧縮領域は、前記吸収体の長手方向前後端部までは形成されていない吸収性物品を提供することにより、上記目的を達成したものである。
【発明の効果】
【０００９】
本発明の吸収性物品によれば、着用者の排泄部に吸収性本体の幅方向中央部の肌当接面側が密着しやすく、排泄された体液を吸収性本体に速やかに吸収できると共に、吸収性本体の側部におけるヨレが生じにくく、横漏れが発生しにくい。
【発明を実施するための最良の形態】
【００１０】
以下、本発明の吸収性物品について、その好ましい一実施形態である第１実施形態に基づき、図面を参照しながら説明する。
第１実施形態は、本発明の吸収性物品を生理用ナプキンに適用したもので、図１及び図２に示すように、肌当接面を形成する表面シート２、非肌当接面を形成する裏面シート３、及び両シート２，３間に介在配置された縦長の吸収体４を備えた縦長の吸収性本体１０を有している。吸収体４は、図２及び図３（ａ）に示すように単層構造である。
【００１１】
吸収性本体１０の少なくとも排泄部対向部Ａにおいて、図１、図２及び図３（ａ）に示すように、吸収体４の一対の側部４１，４１は、一対の側部４１，４１の間に位置する幅方向中央部４２よりも圧縮されることにより、一対の高圧縮領域Ｐを形成している。高圧縮領域Ｐは、吸収体４の幅方向外端部４３，４３まで形成されており、且つ、吸収体４の長手方向前端部４４及び後端部４５までは形成されていない。換言すれば、高圧縮領域Ｐは、吸収体４の長手方向の側縁端には達しているが、吸収体４の長手方向の前後端縁それぞれには達していない。
【００１２】
第１実施形態の生理用ナプキン１は、図１及び図２に示すように、吸収性本体１０を有していると共に、吸収性本体１０の両側部それぞれから幅方向外方に延出する一対のウイング部５，５、及び吸収性本体１０の両側部の肌当接面側をそれぞれ被覆する一対のサイド防漏部６，６を更に有している。
【００１３】
尚、本明細書において、「肌当接面側」とは、吸収性本体１０等の各部材の表裏両側（面）のうち、着用時に着用者の肌側に配される側（面）である。また、「非肌当接面側」とは、肌当接面側の反対側（面）である。特に明記のない限り、「長手方向」とは、縦長の吸収性本体１０又は吸収体４の長手方向に沿う方向であり、「幅方向」とは、縦長の吸収性本体１０又は吸収体４の幅方向に沿う方向である。
【００１４】
また、吸収性本体１０において、「排泄部対向部Ａ」とは、図１に示すように、着用者の排泄部と対向する部分（領域）であり、第１実施形態のようにウイング部５を有する吸収性物品においては、両側部にウイング部５を有する部分である。また、ウイング部を有しない吸収性物品においては、吸収性本体と着用者の排泄部と対向する部分であり、吸収性物品の中央部で長手方向に７０ｍｍ程度の範囲を有する領域である。
排泄部対向部Ａよりも前方に位置する部分（領域）を「前方部Ｂ」といい、排泄部対向部Ａよりも後方に位置する部分（領域）を「後方部Ｃ」という。
【００１５】
第１実施形態の生理用ナプキン１について更に詳述する。吸収性本体１０は、図１及び２に示すように、液透過性の表面シート２、液不透過性又は撥水性の裏面シート３、及び両シート２，３間に介在配置された液保持性の吸収体４を備えている。吸収体４は、平面視で、前端部４４及び後端部４５が丸みを帯び、幅方向外端部４３が直線状の略長方形形状を有している。
【００１６】
表面シート２は、図１及び図２に示すように、吸収体４の上面全域を被覆している。表面シート２の前後端部は、丸みを帯びており、吸収体４の前端部４４及び後端部４５それぞれから長手方向に延出している。表面シート２の幅方向外端部２１は、長手方向に沿う直線状であり、図２に示すように、吸収体４の幅方向外端部４３それぞれから幅方向に若干延出しているが、裏面シート３からは離間している。
【００１７】
裏面シート３は、図２に示すように、吸収体４の下面全域を被覆している。裏面シート３の前後端部は、丸みを帯びており、吸収体４の前端部４４及び後端部４５それぞれから長手方向に延出している。裏面シート３の幅方向外端部は、吸収体４の幅方向外端部４３それぞれから幅方向に延出している。
図２に示すように、吸収性本体１０の非肌当接面側には、詳細には、裏面シート３の非肌当接面側には、吸収性本体１０とショーツのクロッチ部の上面（内面）とを止着するためのズレ止め剤１１が設けられている。ズレ止め剤１１は粘着剤等から形成される。後述のズレ止め剤５５も同様である。
【００１８】
表面シート２及び裏面シート３としては、生理用ナプキン等の吸収性物品において従来から用いられている各種材料を特に制限なく用いることができる。例えば、表面シート２としては、液透過性を有する不織布や開孔フィルム等を用いることができる。裏面シート３としては、液不透過性又は撥水性のフィルム等を用いることができる。
【００１９】
裏面シート３は、吸収性本体１０のムレを低減させる観点から、透湿性（通気性）を有していることが好ましい。透湿性のシートとしては、例えば、熱可塑性樹脂に無機化合物又は有機化合物のフィラーを添加したものを、Ｔダイやサーキュラーダイから溶融押出してフィルムを形成し、次いで、該フィルムを一軸延伸又は二軸延伸して得られる樹脂シート、スパンボンド不織布（Ｓ）とメルトブロー不織布（Ｍ）とが複合化された複合不織布（例えばＳＭ、ＳＭＳ、ＳＭＭＳ等）、エアスルー不織布や前記ＳＭＳ等の複合不織布と前記樹脂シートとの複合シートが挙げられる。
【００２０】
吸収体４としては、例えば、従来から使用されているパルプ繊維や短繊維又は長繊維のウエブ等の繊維集合体を主体とする吸収性コアを、被覆シートで被覆したものを用いることができる。吸収性コアは高吸収性ポリマーを含んでいてもよい。また、被覆シートで被覆しなくても吸収性コアの構成繊維等が実質的にばらけることがないときには、被覆シートを省略することができる。
【００２１】
図２及び図３（ａ）に示すように、吸収体４は、その幅方向に、一対の側部４１、４１、及び一対の側部４１，４１の間に位置する幅方向中央部４２に区画される。吸収性本体１０の少なくとも排泄部対向部Ａにおいて、吸収体４の一対の側部４１、４１は、幅方向中央部４２よりも圧縮されることにより、一対の高圧縮領域Ｐ，Ｐを形成している。幅方向中央部４２は、高圧縮領域Ｐに比して相対的に圧縮されておらず、低圧縮領域Ｑを形成している。
【００２２】
高圧縮領域Ｐと低圧縮領域Ｑとの差異は、各領域の形成時における圧縮の程度が相対的に異なることに起因して生じる。低圧縮領域Ｑは、全く圧縮されていない場合もあり得るが、通常、ある程度は圧縮されている。
高圧縮領域Ｐは、低圧縮領域Ｑに比して、相対的に大きな押圧力で圧縮されているため、薄くなり、密度が高くなると共に、剛性も高くなる。反対に、低圧縮領域Ｑは、高圧縮領域Ｐに比して、相対的に小さな押圧力で圧縮されている（又は圧縮されていない）ため、厚くなり、密度が低くなると共に、剛性も低くなる。
【００２３】
低圧縮領域の厚みは２〜１０ｍｍであることが好ましく、更に好ましくは、３〜８ｍｍである。高圧縮領域の厚みは、１〜８ｍｍであることが好ましく、更に好ましくは２〜６ｍｍである。
低圧縮領域Ｑの厚みと高圧縮領域Ｐの厚みとの差は、好ましくは１〜９ｍｍであり、更に好ましくは１〜６ｍｍである。低圧縮領域Ｑの厚みと高圧縮領域Ｐの厚みとの比（前者／後者）は、好ましくは１〜１０であり、更に好ましくは１．２〜４である。
高圧縮領域Ｐの密度と低圧縮領域Ｑの密度との差は、好ましくは０．０２〜０．４５ｇ／ｃｍ3であり、更に好ましくは０．０４〜０．２０ｇ／ｃｍ3である。高圧縮領域Ｐの密度と低圧縮領域Ｑの密度との比（前者／後者）は、好ましくは０．５〜１０．０であり、更に好ましくは１．０〜４．０である。
高圧縮領域Ｐの剛性値と低圧縮領域Ｑの剛性値との差は、好ましくは２０〜１５０ｃＮであり、更に好ましくは３０〜７０ｃＮである。高圧縮領域Ｐの剛性値と低圧縮領域Ｑの剛性値との比（前者／後者）は、好ましくは２．０〜１０．０であり、更に好ましくは３〜６である。
【００２４】
厚みは以下の方法にて計測した。(株）キーエンス製ＬＫ−０８５レーザー変位計をスタンドにセットしてアルミニウム製φ２５ｍｍの円形プレート（０．４９ｃＮ／ｃｍ2加重に調整）を用いて基準値を計測し、次いで吸収体上に同じアルミニウム製の円形プレートを設置して計測することで、０．４９ｃＮ／ｃｍ2加重時の厚みとした。
また、剛性値の測定方法としては、ＪＩＳ-Ｌ１０９６ハンドルオメーター法（測定機器：大栄科学精器製作所製ＨＯＭ-３）の手順で測定するが、サンプルサイズを縦２０ｃｍ、横２０ｃｍを縦５ｃｍ横７ｃｍとして測定を行なった。
【００２５】
高圧縮領域Ｐは、吸収体４の幅方向外端部４３まで形成されている。高圧縮領域Ｐの幅は、好ましくは１０〜２８ｍｍであり、更に好ましくは１２〜２５ｍｍである。低圧縮領域Ｑの幅は、好ましくは３０〜６５ｍｍであり、更に好ましくは３５〜６０ｍｍである。
また、高圧縮領域Ｐは、吸収体４の長手方向前端部４４及び後端部４５までは形成されていない。高圧縮領域Ｐの長さは、好ましくは６０〜１４０ｍｍであり、更に好ましくは８０〜１２０ｍｍである。吸収体４の長手方向前端部４４から高圧縮領域Ｐの端部までの距離（吸収体４の長手方向の距離）は、好ましくは３０〜７０ｍｍであり、更に好ましくは４０〜６０ｍｍである。吸収体４の長手方向後端部４５から高圧縮領域Ｐの端部までの距離（吸収体４の長手方向の距離）は、好ましくは５０〜９０ｍｍであり、更に好ましくは６０〜８０ｍｍである。
【００２６】
高圧縮領域Ｐは、少なくとも排泄部対向部Ａに形成されており、前方部Ｂ及び／又は後方部Ｃにも形成されていてもよい。前方部Ｂに位置する高圧縮領域Ｐの長さ（吸収体４の長手方向の長さ）は、好ましくは５〜１５ｍｍあり、更に好ましくは７．５〜１２．５ｍｍである。後方部Ｃに位置する高圧縮領域Ｐの長さ（吸収体４の長手方向の長さ）は、好ましくは５〜３５ｍｍであり、更に好ましくは７．５〜３２．５ｍｍである。
【００２７】
吸収体４は、例えば、図３（ｂ）及び図３（ａ）に示すように、実質的に等厚の非圧縮吸収体４’に対し、高圧縮領域Ｐとなる領域については大きな押圧力で圧縮し、低圧縮領域Ｑとなる領域については実質的に圧縮しないように圧縮することで、得ることができる。このような圧縮加工は、例えば、高圧縮領域Ｐに対応する形状の凸部を備えた押圧ロールを用いて行うことができる。
このような圧縮加工によれば、高圧縮領域Ｐの坪量と低圧縮領域Ｑの坪量とは実質的に同じとなる。
【００２８】
高圧縮領域Ｐを形成する圧縮加工は、吸収体４単体の状態で行ってもよく、あるいは、表面シート２及び／又は裏面シート３と重ね合わせた状態で行ってもよい。
非圧縮吸収体４’とは、高圧縮領域Ｐが形成される前の吸収体という意味であり、吸収体をかたち造る程度に押し固める圧縮が施されていてもよい。
【００２９】
高圧縮領域Ｐを形成する凸部の押圧面が平滑状となされた押圧ロールを用いて、高圧縮領域Ｐを形成した場合には、高圧縮領域Ｐの上面（押圧面）は、凸部の押圧面の形状に倣って平滑状になる。
高圧縮領域Ｐの上面の形状（凹凸）は、高圧縮領域Ｐを形成する凸部の押圧面の凹凸形状（つまりエンボスパターン）を変更することによって、適宜変更することができる。
【００３０】
例えば、図４（ａ）に示すように、高圧縮領域Ｐの上面全域に小さなドット状エンボスＰ１が散点的に形成され、ドット状エンボスＰ１以外の部分が平滑状になるように押圧加工を施して、高圧縮領域Ｐを形成することができる。このようなドット状エンボスＰ１を形成することによって、高圧縮領域Ｐの上面の風合いを改善することができる。尚、高圧縮領域Ｐの上面について、平滑状となす押圧加工とドット状エンボスＰ１の形成加工とを別工程で行う（つまり、ドット状エンボスＰ１の形成加工を二次加工として行う）こともできる。
【００３１】
また、図４（ｂ）に示すように、高圧縮領域Ｐの上面に格子状のエンボス溝Ｐ２が形成されるように押圧加工を施して、高圧縮領域Ｐを形成することができる。格子状のエンボス溝Ｐ２は、吸収体４の長手方向に対して斜めの方向に延びていてもよく、あるいは、吸収体４の長手方向及び幅方向に延びていてもよい。エンボス溝Ｐ２は、連続溝でもよく、あるいは非連続溝でもよい。
このような格子状のエンボス溝Ｐ２を形成する場合には、格子の大きさを変更することによって、高圧縮領域Ｐの剛性値の大きさ及びその上面の柔らかさの程度を容易に設定することができる。
【００３２】
また、図４（ｃ）に示すように、高圧縮領域Ｐの上面全域に大きなドット状エンボスＰ３が散点的に形成されるように押圧加工を施して、高圧縮領域Ｐを形成することができる。ドット状エンボスＰ３は、ランダムに（不規則的に）配置していることが好ましい。具体的には、高圧縮領域Ｐにおいて、ドット状エンボスＰ３以外の未圧縮部分に、可撓軸となり得る直線状の部分が形成されないように配置していることが好ましい。
このようなドット状エンボスＰ３を形成する場合には、エンボスＰ３の大きさを変更することによって、高圧縮領域Ｐの剛性値の大きさ及びその上面の柔らかさの程度を容易に設定することができる。
【００３３】
吸収性本体１０の排泄部対向部Ａの肌当接面側には、具体的には、表面シート２及び吸収体４に跨って、図１及び図２に示すように、吸収性本体１０の長手方向に延びる圧搾溝１２が設けられている。圧搾溝１２は、表面シート２と吸収体４とが一体的に圧密化されて形成されている。第１実施形態においては、圧搾溝１２は、一対の高圧縮領域Ｐ，Ｐの間の低圧縮領域Ｑ（吸収体４の幅方向中央部４２）に、高圧縮領域Ｐの内端部に近接して吸収性本体１０の長手方向に直線状に延びている。つまり、圧搾溝１２は、吸収体４の幅方向中央部４２のみに設けられている。
【００３４】
圧搾溝１２の長さ（吸収体４の長手方向の長さ）は、高圧縮領域Ｐの長さ（吸収体４の長手方向の長さ）の２７〜６４％であることが好ましく、３６〜５４％であることが更に好ましい。
圧搾溝１２の幅は、好ましくは１〜５ｍｍであり、更に好ましくは２〜４ｍｍである。
吸収性本体１０の排泄部対向部Ａに、長手方向に延びる圧搾溝１２が設けられていることで、吸収性本体１０の肌当接面側において液の拡散を抑制することができる。
【００３５】
ウイング部５は、図１及び図２に示すように、排泄部対向部Ａにおいて吸収性本体１０の両側部から幅方向外方に延出している。ウイング部５は、ショーツ等の下着のクロッチ部の下面（外面）側に折り返されて用いられる。第１実施形態のようなウイング部５を有する形態においては、ウイング部５の両付け根を結ぶ直線が、吸収性本体１０とウイング部５との境界線となる。ウイング部５は、図１に示すように、平面視で、下底（上底よりも長い辺）が吸収性本体１０の側部側に位置する略台形状を有している。
【００３６】
ウイング部５の非肌当接面側には、図２に示すように、ズレ止め剤５５が設けられている。ズレ止め剤５５によって、使用時に、ショーツのクロッチ部の下面（外面）側に折り返されたウイング部５をクロッチ部に止着できるようになっている。
【００３７】
サイド防漏部６は、図１及び図２に示すように、吸収性本体１０の両側部の肌当接面側をそれぞれ被覆する構成部位で、吸収性本体１０の両側部の肌当接面側それぞれに、吸収性本体１０の長手方向に沿ってその略全長に亘るように設けられている。
【００３８】
サイド防漏部６はサイドシート６１からなる。サイドシート６１は、幅方向に２つ折りにされて、サイド防漏部６の内側縁部において折り返し部を形成し、２層領域を形成している。第１実施形態においては、サイド防漏部６の平面視面積の８０％以上が２層領域となっている。サイド防漏部６の内側縁部は、吸収性本体１０の長手方向に沿う直線状になっている。
【００３９】
サイドシート６１としては、生理用ナプキン等の吸収性物品において従来から用いられている各種材料を特に制限なく用いることができる。サイドシート６１は、撥水性及び／又は透湿性を有していることが好ましく、液不透過性であってもよい。サイトシート６１の材料としては、例えば、スパンボンド不織布、スパンボンド不織布（Ｓ）とメルトブロー不織布（Ｍ）とが複合化されたシート（例えばＳＭ、ＳＭＳ、ＳＭＭＳ等）、スパンレース不織布、ヒートロール不織布、エアスルー不織布等の撥水性（疎水性）不織布が挙げられる。
【００４０】
サイドシート６１は、吸収性本体１０の両側部から幅方向外方にそれぞれ延出して、ウイング部５の上層を形成している。裏面シート３は、吸収性本体１０の両側部から幅方向外方にそれぞれ延出して、ウイング部５の下層を形成している。つまり、サイドシート６１における延出した部分と裏面シート３における延出した部分との積層体は、吸収性本体１０の幅方向外方それぞれにウイング部５を形成している。
【００４１】
サイド防漏部６は、前方部Ｂにおいて、その前端部側及び外側縁部側が、前側のエンドシール部（図示せず）によって、吸収性本体１０の表面シート２又は裏面シート３に接合されている。同様に、サイド防漏部６は、後方部Ｃにおいて、その後端部側及び外側縁部側が、後側のエンドシール部（図示せず）によって、吸収性本体１０の表面シート２又は裏面シート３に接合されている。これらのエンドシール部はヒートシール等により形成される。
【００４２】
前側のエンドシール部は、吸収性本体１０の前方部Ｂの左側縁部から前端縁部を経由して右側縁部に亘って、略半円弧状に連続的に延びている。同様に、後側のエンドシール部は、吸収性本体１０の後方部Ｃの左側縁部から前端縁部を経由して右側縁部に亘って、略半円弧状に連続的に延びている。表面シート２と裏面シート３とは、両エンドシール部によって接合されている。
【００４３】
サイド防漏部６の下面は、サイド防漏部６の外側縁部近傍においては、表面シート２又は裏面シート３に接合されているが、それ以外の領域においては、表面シート２又は裏面シート３に接合されておらず、表面シート２との間でポケットを形成している。サイド防漏部６の下面のうち、表面シート２及び裏面シート３に接合されていない領域の比率は、面積比で１５％以上であることが好ましく、５０％以上であることが更に好ましい。サイド防漏部６の下面のうち、平面視で吸収体４に重なる部分は、表面シート２に接合されていない。
【００４４】
前記ポケットは、着用時に開口し、その開口したポケットに、幅方向外方へ移動した体液を捕捉できるため、防漏性を向上させることができる。前記ポケットで捕捉された体液は、該ポケットの手前から奥へ移動する間に吸収体４に吸収されるか、又は該ポケットの奥に到達した後、吸収体４側に戻って吸収される。
【００４５】
第１実施形態の生理用ナプキン１の各構成部材は、前述のエンドシール部以外にも、ホットメルト型接着剤等の各種接着剤（図示せず）により更に接合されていてもよい。
接着剤は、例えば、吸収体４と裏面シート３との間に設けられる。また、接着剤は、ウイング部５の両付け根間において、サイドシート６１と裏面シート３との間に設けることが好ましい。接着剤は、連続的に（面状に）塗工されていてもよい（いわゆるベタ塗り）が、塗工された領域の通気性を考慮すると、間欠的に塗工されていることが好ましい。間欠的な塗工形態としては、例えば、スパイラル状、幅方向に延びるストライプ状、Ω状、ドット状が挙げられる。
【００４６】
第１実施形態の生理用ナプキン１は、吸収性本体１０をショーツのクロッチ部（図示せず）の上面（内面）に配設し、ズレ止め剤１１によってクロッチ部に固定する。そして、ウイング部５をクロッチ部の下面（外面）側に折り返して、ズレ止め剤５５によってウイング部５をクロッチ部の外面に止着することにより、位置ズレを防止しながら装着することができる。
【００４７】
以上の構成を有する第１実施形態の生理用ナプキン１においては、排泄部対向部Ａにおいて、吸収体４の側部４１に高圧縮領域Ｐが形成されており、高圧縮領域Ｐは、吸収体４の幅方向外端部４３まで形成されており、且つ吸収体４の長手方向前端部４４及び後端部４５までは形成されていない。そのため、図５（ａ）に示すように、吸収体４に幅方向内方に向けて力が加わっても、吸収体４の側部４１がヨレにくく、従って、圧搾溝１２の有無に拘わらず、吸収体４の幅方向中央部４２が隆起しやすい。
【００４８】
具体的には、図５（ｂ）に示すように、吸収体４の側部４１の幅方向内端部４６が迫り上がり、その結果、吸収体４の幅方向中央部４２の上面の位置が高くなる。あるいは、図５（ｃ）に示すように、吸収体４の側部４１の幅方向内端部４６が迫り上がらない場合には、吸収体４の幅方向中央部４２は、その幅が狭くなり、その結果、その厚みが厚くなり、上面の位置が高くなる。
従って、着用者の排泄部に吸収性本体１０の幅方向中央部の肌当接面側が密着しやすく、排泄された体液を吸収性本体に速やかに吸収することできる。
【００４９】
また、吸収体４の高圧縮領域Ｐは剛性が高くなっているため、吸収性本体１０の側部におけるヨレが生じにくく、横漏れが発生しにくい。
【００５０】
次に、本発明の吸収性物品の他の実施形態について説明する。他の実施形態については、上述した第１実施形態と異なる点を主として説明し、同様の点は同一の符号を付して説明を省略する。特に説明しない点は、第１実施形態についての説明が適宜適用される。他の実施形態においても、第１実施形態と同様の効果が奏される。
【００５１】
吸収体４は、第１実施形態においては、単層構造であるが、本発明においては、その全面が多層構造を有していてもよい。
具体的には、第２実施形態においては、図６（ａ）に示すように、吸収体４は、上層吸収体４Ａ及び下層吸収体４Ｂからなる２層構造を有している。上層吸収体４Ａ及び下層吸収体４Ｂの平面視形状は、同じである。
吸収体４は、多層構造を採用することで、厚みの厚いものを容易に形成することができる。高圧縮領域Ｐと低圧縮領域Ｑとの境界では、急激に厚みが変化することに起因して吸収体４の破断が生じやすいが、多層構造の吸収体４によれば、高圧縮領域Ｐと低圧縮領域Ｑとの境界において、１層ごとに厚みの変化が緩やかとなるため、吸収体４の破断が生じにくい。
【００５２】
圧搾溝１２は、吸収体４の幅方向中央部４２（低圧縮領域Ｑ）と高圧縮領域Ｐとに跨って設けることができる。
例えば、図７（ａ）に示すように、圧搾溝１２の前端部１２Ｂ及び後端部１２Ｃが吸収体４の高圧縮領域Ｐに位置し、圧搾溝１２の長手方向中央部１２Ａが吸収体４の幅方向中央部４２に位置する湾曲形状を形成するように、圧搾溝１２を設けることができる。圧搾溝が形成されていることで防漏性が高められる他、このような形状の圧搾溝とされることで、吸収体４の側部の幅方向内端部が迫り上がり、その結果、吸収体４の幅方向中央部の上面の位置が高くなる形状変形が起こりやすい。
反対に、図７（ｂ）に示すように、圧搾溝１２の前端部１２Ｂ及び後端部１２Ｃが吸収体４の幅方向中央部４２に位置し、圧搾溝１２の長手方向中央部１２Ａが吸収体４の高圧縮領域Ｐに位置する湾曲形状を形成するように、圧搾溝１２を設けることができる。圧搾溝が形成されていることで防漏性が高められる他、このような形状の圧搾溝とされることで、吸収体４の幅方向中央部は、その幅が狭くなり、その結果、その厚みが厚くなって、上面の位置が高くなる形状変形が起こりやすい。
【００５３】
圧搾溝１２は、吸収体４の高圧縮領域Ｐのみに設けることができる。
例えば、図８（ａ）に示すように、高圧縮領域Ｐにおいて、圧搾溝１２の前端部１２Ｂ及び後端部１２Ｃが吸収体４の幅方向外側に位置し、圧搾溝１２の長手方向中央部１２Ａが吸収体４の幅方向内側に位置する湾曲形状を形成するように、圧搾溝１２を設けることができる。圧搾溝が形成されていることで防漏性が高められる他、このような形状の圧搾溝が高圧縮領域内とされることで、高圧縮領域の安定化される。されに、吸収体４の側部の幅方向内端部が迫り上がり、その結果、吸収体４の幅方向中央部の上面の位置が高くなる形状変形がより起こりやすい。
反対に、図８（ｂ）に示すように、高圧縮領域Ｐにおいて、圧搾溝１２の前端部１２Ｂ及び後端部１２Ｃが吸収体４の幅方向内側に位置し、圧搾溝１２の長手方向中央部１２Ａが吸収体４の幅方向外側に位置する湾曲形状を形成するように、圧搾溝１２を設けることができる。圧搾溝が形成されていることで防漏性が高められる他、このような形状の圧搾溝が高圧縮領域内とされることで、高圧縮領域の安定化される。されに、吸収体４の幅方向中央部は、その幅が狭くなり、その結果、その厚みが厚くなって、上面の位置が高くなる形状変形が起こりやすい。
【００５４】
吸収性本体１０の前方部Ｂ及び／又は後方部Ｃにも、圧搾溝１２とは別の補助圧搾溝１３を設けることができる。
例えば、図９（ａ）に示すように、図８（ａ）に示す吸収体４において、吸収性本体１０の前方部Ｂ及び後方部Ｃに、吸収体４の幅方向に延びる補助圧搾溝１３を設けることができる。前方部Ｂに位置する補助圧搾溝１３は、吸収体４の前側に凸に湾曲しており、後方部Ｃに位置する補助圧搾溝１３は、吸収体４の後側に凸に湾曲している。従って、４つの圧搾溝１２，補助圧搾溝１３，圧搾溝１２及び補助圧搾溝１３から、非連続的な周状の圧搾溝が形成される。
同様に、図９（ｂ）に示すように、図８（ｂ）に示す吸収体４において、図９（ａ）に示す補助圧搾溝１３と同じ補助圧搾溝１３を設けることができる。図９（ｂ）に示す吸収体４においても、４つの圧搾溝１２，補助圧搾溝１３，圧搾溝１２及び補助圧搾溝１３から、非連続的な周状の圧搾溝が形成される。
このように形成されていることから、図８（ａ）で発現する効果に加え、前後方向への防漏性、さらには、中央の形状変形が端部に至ることを防ぐ効果も有する。
【００５５】
長手方向の延びる圧搾溝１２及び幅方向に延びる補助圧搾溝１３を連結して、連続的な周状の圧搾溝を形成することもできる。
例えば、図１０（ａ）に示すように、図９（ａ）に示す吸収体４について、隣接する圧搾溝１２及び補助圧搾溝１３の端部同士を連結して、連続的な周状の圧搾溝を形成することができる。
同様に、図１０（ｂ）に示すように、図９（ｂ）に示す吸収体４について、隣接する圧搾溝１２及び補助圧搾溝１３の端部同士を連結して、連続的な周状の圧搾溝を形成することができる。
このように形成されていることから、図８（ｂ）で発現する効果に加え、前後方向への防漏性、さらには、中央の形状変形が端部に至ることを防ぐ効果も有する。
図７（ｂ）、図８（ｂ）、図９（ｂ）、図１０（ｂ）に示す吸収体は、圧搾溝１２，１３が、排泄ポイント部を囲むように、吸収性物品の長手方向中央部に設けられている。排泄ポイント部は、着用者の液排泄部（生理用ナプキンの場合は膣口）に対向配置される部位であり、概ね排泄部対向部Ａにおける吸収性物品の幅方向中央部に位置する。
【００５６】
本発明の吸収性物品は、前述した実施形態に制限されることなく、本発明の趣旨を逸脱しない限り適宜変更が可能である。
例えば、高圧縮領域Ｐを有する吸収体４に加えて、それとは別体の補助吸収体を表面シート２と吸収体４との間及び／又は吸収体４と裏面シート３との間に配設することができる。
後方部Ｃには、吸収性本体１０の両側部から延出した後部フラップを設けることができる。後部フラップは、吸収性本体１０から延出した状態で折り返されることなく、ショーツ等の下着に装着されて用いられるものである。
【００５７】
ウイング部５及び／又はサイド防漏部６は設けられていなくてもよい。
ウイング部５は、その一部又は全部がサイドシート６１のみから形成されていてもよく、あるいは、その一部又は全部が裏面シート３のみから形成されていてもよい。
前述した各形態における各構成については、適宜組み合わせることができる。
本発明の吸収性物品は、生理用ナプキンに制限されず、パンティライナー（おりものシート）、失禁パッド等にも適用することができる。装着される下着は、ショーツに制限されない。
【図面の簡単な説明】
【００５８】
【図１】図１は、本発明の吸収性物品の第１実施形態としての生理用ナプキンを示す平面図である。
【図２】図２は、図１に示すII−II線断面図である。
【図３】図３（ａ）は、第１実施形態の生理用ナプキンにおける吸収体を示す縦断面図であり、図３（ｂ）は、高圧縮領域が形成される前の吸収体を示す縦断面図である。
【図４】図４（ａ）〜（ｃ）は、第１実施形態の生理用ナプキンにおける吸収体の高圧縮領域の上面のエンボス形状のバリエーションを示す平面図である。
【図５】図５（ａ）〜（ｃ）は、第１実施形態の生理用ナプキンにおける吸収体の隆起プロセスを示す縦断面図である。
【図６】図６（ａ）は、第２実施形態における吸収体を示す縦断面図であり、図６（ｂ）は、高圧縮領域が形成される前の吸収体を示す縦断面図である。
【図７】図７（ａ）及び図７（ｂ）は、吸収体における圧搾溝の平面視形状のバリエーションを示す平面図である。
【図８】図８（ａ）及び図８（ｂ）は、吸収体における圧搾溝の平面視形状のバリエーションを示す平面図である。
【図９】図９（ａ）及び図９（ｂ）は、吸収体における圧搾溝の平面視形状のバリエーションを示す平面図である。
【図１０】図１０（ａ）及び図１０（ｂ）は、吸収体における圧搾溝の平面視形状のバリエーションを示す平面図である。
【符号の説明】
【００５９】
１  生理用ナプキン（吸収性物品）
１０  吸収性本体
１１  ズレ止め剤
１２  圧搾溝
１３  補助圧搾溝
２  表面シート
３  裏面シート
４  吸収体
４１  側部
４２  幅方向中央部
４３  幅方向外端部
４４  前端部
４５  後端部
５  ウイング部
５５  ズレ止め剤
６  サイド防漏部
６１  サイドシート
Ａ  排泄部対向部
Ｂ  前方部
Ｃ  後方部
Ｐ  高圧縮領域
Ｑ  低圧縮領域
【図１】
0005112829.tif 000002
【図２】
0005112829.tif 000003
【図３】
0005112829.tif 000004
【図４】
0005112829.tif 000005
【図５】
0005112829.tif 000006
【図６】
0005112829.tif 000007
【図７】
0005112829.tif 000008
【図８】
0005112829.tif 000009
【図９】
0005112829.tif 000010
【図１０】
0005112829.tif 000011